(57)【要約】      （修正有）【課題】  発電装置が屋外に設置される場合であっても、バッテリに対する水気の付着による影響を低減することができ、またバッテリがパッケージ内の冷却風の流れを阻害するようなことをなくして高品質で小型に構成できるパッケージ型発電装置を提供する。【解決手段】  ベース４上には、エンジン１と発電機２が載置され、発電機２の上方には、ベース４上に支持された架台１７が設けられている。この架台１７は少なくとも上面部および側面部に水気の浸入を阻止する遮蔽部材１６ｂが取付けられ、この架台１７上に制御盤６が搭載されている。吸気口１３から流入した冷却風１５は、発電機２およびエンジン１を冷却し、ラジエータ８を通過して排気口１４から放出され、バッテリ１８は吸気口１３か離れた位置で、冷却風１５の水気の影響を受けないように遮蔽される。【選択図】  図１
2005323473.tif 000002
【特許請求の範囲】
【請求項１】
ベース上に発電機、エンジン、制御盤および前記発電機を始動するバッテリを搭載して周囲をパッケージで覆い、このパッケージに設けた吸気口および排気口を介して前記パッケージ内を換気するパッケージ型発電装置において、少なくとも上面部および側面部に、外側から内側への水気の浸入を制限する遮蔽部材を設けた架台に前記制御盤を載置するとともに、前記架台の内側に前記バッテリを配置したことを特徴とするパッケージ型発電装置。
【請求項２】
前記架台の内側に前記発電機の吸気口を配置したことを特徴とする請求項１に記載のパッケージ型発電装置。
【発明の詳細な説明】
【技術分野】
【０００１】
本発明は、ベース上に発電機、エンジンおよび発電機を始動するバッテリを搭載して周囲をパッケージで覆ったパッケージ型発電装置に関するものである。
【背景技術】
【０００２】
一般に大型の病院やショッピングセンタ等では、自家発電や非常用電源として、あるいは熱電併用としてパッケージ型発電装置を設置することがある。パッケージ型発電装置は、ディーゼル、ガソリン等のエンジンや交流発電機等の発電機をパッケージ内に備えており、発電機は、始動時にはバッテリから給電されて駆動され、始動後はエンジンにより駆動されて発電するようになっている。
【０００３】
図２（ａ）は一般的なパッケージ型発電装置の全体を、正面側の側壁を開口して示す正面図、図２（ｂ）は図２（ａ）の側面図である。図２（ａ）および（ｂ）において、エンジン１と発電機２は、水平方向に直結されてそれぞれ防振ゴム３を介してベース４上に載置されている。発電機２の上方には、ベース４上に直接支持された架台５が設けられ、この架台５上に制御盤６とバッテリ７が搭載されている。制御盤６は発電装置を運転制御するものであり、バッテリ７は発電機２に始動時の電力を供給するものである。
【０００４】
エンジン１の側方には、エンジン１の廃熱を冷却水により熱交換するラジエータ８が設けられ、また上方には、排ガスサイレンサー９が設けられている。排ガスサイレンサー９は、フレキシブル配管１０を介してエンジン１に連結され、排気管１１を介して後述するパッケージ外部に連通され、エンジン１を駆動している際に発生する排ガスを消音して外部に排出するようになっている。
【０００５】
これらの機器の周囲は、内壁に吸音材を取付ける等の処理を行った防音壁構造を有するパッケージ１２で覆われ、パッケージ１２に設けられた吸気口１３および排気口１４を介してパッケージ１２内が換気されるようになっている。
【０００６】
このパッケージ１２内の換気は、次のようにして行われる。エンジン１が回転することにより図示しないプーリを介して連結されたラジエータファンが回転し、矢印で示す冷却風１５が吸気口１３から吸い込まれる。冷却風１５は、発電機２とエンジン１の表面から放出される熱を冷却しながら流れてラジエータ８を通過する。ラジエータ８は、パッケージ１２内を区分する仕切り壁１６に取付けられており、冷却風１５はラジエータ８部分だけを通過してラジエータ８の冷却水を冷却した後、排気口１４よりパッケージ１２外部へと放出される。
【発明の開示】
【発明が解決しようとする課題】
【０００７】
ところで、パッケージ１２外部から冷却風１５を取り入れてパッケージ１２内の換気を行うパッケージ型発電装置においては、その設置が屋外である場合、発電装置の運転中に雨水等の水気を含む空気がパッケージ１２内に吸い込まれる可能性がある。パッケージ１２内に水気が浸入すると、パッケージ型発電装置内部にある電気品が絶縁不良による故障を発生し、発電装置が起動不能となるおそれがある。とりわけ、起動することが絶対条件となる非常用の発電装置においては、バッテリ７は、その用途を達成する上で最も重要な電気品である。
【０００８】
上記従来のパッケージ型発電装置において、バッテリ７は、架台５上に設置され、その充電部には絶縁キャップが被せられて水気の付着による故障を回避し、信頼性を確保しているが、以下のような問題がある。
【０００９】
バッテリ７は、パッケージ１２の吸気口１３に近い場所に設置されており、発電装置の運転中にパッケージ１２内の換気が行われて雨水等の水気が浸入すると、充電部に水気が付着する可能性が高く、水気の付着の状態によっては絶縁不良等の故障を発生させるおそれがある。
【００１０】
またバッテリ７は、架台５上に設置されて吸気口１３から流入する冷却風１５の流路上に置かれており、冷却風１５の流れを阻害しているので、バッテリ７の周囲に冷却風１５の流路を確保するためにパッケージ１２が大型化するという問題がある。
【００１１】
本発明は、上記従来技術の問題を解決するためになされたものであり、その目的とするところは、発電装置が屋外に設置される場合であっても、バッテリに対する水気の付着による影響を低減することができ、またバッテリがパッケージ内の冷却風の流れを阻害するようなことをなくして高品質で小型に構成できるパッケージ型発電装置を提供することにある。
【課題を解決するための手段】
【００１２】
上記の課題を解決するため、本発明によるパッケージ型発電装置は、ベース上に発電機、エンジン、制御盤および発電機を始動するバッテリを搭載して周囲をパッケージで覆い、このパッケージに設けた吸気口および排気口を介してパッケージ内を換気するパッケージ型発電装置において、少なくとも上面部および側面部に、外側から内側への水気の浸入を制限する遮蔽部材を設けた架台に制御盤を載置するとともに、この架台の内側にバッテリを配置したことを特徴とする。
【００１３】
この場合、架台の内側に発電機の吸気口を配置することもできる。
【発明の効果】
【００１４】
本発明によれば、遮蔽部材により遮蔽されている架台の内側にバッテリが位置しているため、冷却風の流入に伴って浸入した雨水等の水気がバッテリに付着することがなくなり、絶縁不良等の故障の発生を回避してバッテリの信頼性を向上することができる。しかもバッテリが冷却風の流路を塞ぐことがなくなり、冷却風の流路が確保されることにより、パッケージを大型化する必要もなくなる。
【００１５】
また発電機の吸気口を架台の内側に配置した場合には、水気が吸気口を介して発電機内へ浸入して巻線などに設けられている絶縁物に付着する現象を防止することができる。
【発明を実施するための最良の形態】
【００１６】
以下、本発明の実施の形態を説明する。図１（ａ）は本発明によるパッケージ型発電装置の全体を、正面側の側壁を開口して示す正面図、図１（ｂ）は図１（ａ）の側面図である。図１（ａ）および（ｂ）において、ベース４上には、防振ゴム３を介して、直結したエンジン１と発電機２が載置されている。発電機２の上方には、ベース４上に直接支持された架台１７が設けられ、この架台１７上に発電装置を運転制御する制御盤６が設置されている。架台１７は四角形の枠状に骨組みした枠体１７ａを有し、この枠体１７ａの少なくとも上面部および側面部に、水気が架台１７の外側から内側へ浸入できないように制限することのできる金属板やプラスチック板などの遮蔽部材１７ｂを取付けて構成されている。
【００１７】
発電機２の始動時に電力を供給するバッテリ１８は、架台１７の内側の空間を利用して設けられ、架台１７の枠体１７ａに固定された支持部材１７ｃ上に固定されている。
【００１８】
一方、エンジン３の側方には、エンジン３の廃熱を冷却水に熱交換するラジエータ８が設けられ、また上方には、排ガスサイレンサー９が設けられている。排ガスサイレンサー９は、フレキシブル配管１０を介してエンジン３に連結され、排気管１１を介してパッケージ１２外部に連通され、エンジン３を駆動している際に発生する排ガスを消音して外部に排出するようになっている。
【００１９】
これらの機器は、周囲が内壁に吸音材を取付ける等の処理を行った防音壁構造を有するパッケージ１２で覆われ、このパッケージ１２の発電機２側の側壁に設けられた吸気口１３およびエンジン１側の側壁に設けられた排気口１４を介してパッケージ１２内が換気されるようになっている。
【００２０】
このパッケージ１２内の換気は、次のようにして行われる。エンジン１の回転により図示しないプーリを介して連結されたラジエータファンが回転することによって冷却風１５が矢印で示すように吸気口１３から吸い込まれる。冷却風１５は、発電機２とエンジン１を冷却してパッケージ１２内を区分けする仕切り壁１６に取付けられたラジエータ８を通過し、ラジエータ８を冷却した後、排気口１４よりパッケージ１２外部へと放出される。
【００２１】
従って、本実施の形態においては、バッテリ１８がパッケージ１２の吸気口１３から離れた場所で、しかも架台１７の遮蔽部材１７ｂにより遮蔽された状態に配置されているために、発電装置の運転中に冷却風１５の流入に伴ってパッケージ１２内に浸入した雨水等の水気がバッテリ１８に付着することがなくなり、水気の付着による絶縁不良の発生をなくしてバッテリ１８の信頼性を向上することができる。
【００２２】
また架台１７上に載置された制御盤６は、発電機２の上方の適当な高さ位置に設置されて操作性が維持され、一方、バッテリ１８は架台１７の内側に配置されていることにより、設置スペースを大きくすることなく、バッテリ１８と制御盤６との配線距離も短くして設置することができる。しかもバッテリ１８は、冷却風１５の流路から離れた位置に置かれるため、冷却風１５の流れを阻害することがなくなり、冷却風の流路が十分に確保されることにより、パッケージ１２を大型化する必要もなくなる。
【００２３】
なお、図示のように発電機２の吸気口２ａを架台１７の内側に配置することもできる。このように構成すれば、吸気口２ａが遮蔽部材１６ｂにより遮蔽された状態に置かれるため、水気が吸気口２ａから発電機２内に浸入することがなくなり、発電機２内の巻線等の絶縁物に水気が付着して絶縁不良を発生させるようなおそれもなくなる。
【００２４】
この場合、架台１７は、側面部の遮蔽部材１７ｂの下端部とベース４との間に空気流通口１７ｄを形成するように遮蔽部材１７ｂを取付けたり、または遮蔽部材１７ｂの一部に、空気は透過できるが水気は透過できないフィルターを取付けたりして、内側に位置する発電機２の吸気口２ａに空気が供給できるように構成する。
【図面の簡単な説明】
【００２５】
【図１】（ａ）は本発明によるパッケージ型発電装置の全体を、正面側の側壁を開口して示す正面図、（ｂ）は（ａ）の側面図である。
【図２】（ａ）は一般的なパッケージ型発電装置の全体を、正面側の側壁を開口して示す正面図、（ｂ）は（ａ）の側面図である。
【符号の説明】
【００２６】
１…エンジン
２…発電機
３…防振ゴム
４…ベース
５，１７…架台
６…制御盤
７，１８…バッテリ
８…ラジエータ
９…排ガスサイレンサー
１０…フレキシブル配管
１１…排気管
１２…パッケージ
１３…吸気口
１４…排気口
１５…冷却風
１６…仕切り壁
１７ａ…枠体
１７ｂ…遮蔽部材
１７ｃ…支持部材
１７ｄ…空気流通口
【図１】
2005323473.tif 000003
【図２】
2005323473.tif 000004